(57)【要約】  本発明は、ビームフォーミング技術を基盤として通信する送／受信装置間で同期化を行うにあたって、受信装置での早いビームトラッキング（ｔｒａｃｋｉｎｇ）を可能にして全体的なビームフォーミング同期化性能を向上させる技術である。【選択図】図１
2019519953.tif 000002
【特許請求の範囲】
【請求項１】
同期信号伝送装置であって、
タイミング同期化のために、周波数同期化のための第１同期信号及びフレーム同期化のための第２同期信号を端末に伝送するタイミング同期化遂行部；及び、
ビームフォーミング同期化のために、多数のアンテナを通して互いに異なる方向に形成される第３同期信号を上記端末に伝送するビームフォーミング同期化遂行部；を含むことを特徴とする同期信号伝送装置。
【請求項２】
装置間の同期化のために指定された無線リソースにおいて、特定単位で区分される単位無線リソースのうち隣り合う２以上を結合した無線リソースブロックを多数個構成する無線リソース構成部をさらに含み；
上記ビームフォーミング同期化遂行部は、
上記多数個の無線リソースブロック別に形成される互いに異なる方向のアンテナビームを通して上記第３同期信号としてのビーム同期信号を送信して、上記ビーム同期信号基盤のビームフォーミング同期化を行うことを特徴とする請求項１に記載の同期信号伝送装置。
【請求項３】
上記無線リソースブロックを構成する単位無線リソースの個数は、
上記ビーム同期信号を受信する受信装置で形成可能なアンテナビームの個数によって決定されることを特徴とする請求項２に記載の同期信号伝送装置。
【請求項４】
上記受信装置は、
互いに異なる方向に形成される２以上のアンテナビームを通して上記ビーム同期信号を受信して、上記ビーム同期信号基盤のビームフォーミング同期化を行い；
上記２以上のアンテナビームそれぞれは、
上記多数個の無線リソースブロックそれぞれに指定されている単位無線リソースの組み合わせを用いて形成されることを特徴とする請求項３に記載の同期信号伝送装置。
【請求項５】
上記無線リソースは、周期的に割り当てられるダウンリンク同期チャネルのサブフレーム内の多数のシンボルのうちの一つであり；
上記ビームフォーミング同期化遂行部は、
上記多数のシンボルそれぞれから、上記多数個の無線リソースブロック別に以前のシンボルとは異なる方向にビーム同期信号を送信することを特徴とする請求項２に記載の同期信号伝送装置。
【請求項６】
上記無線リソース構成部は、
上記無線リソースにおいて、上記無線リソースブロックそれぞれの間に通信システム関連情報を伝送するための情報伝送ブロックを構成し、
上記情報伝送ブロックに割り当てられる情報は、情報伝送ブロックと隣り合う２個の無線リソースブロックのうちのいずれか一つで形成されるアンテナビームを通して送信されることを特徴とする請求項２に記載の同期信号伝送装置。
【請求項７】
上記特定単位は、
上記受信装置で一つのアンテナビームを形成するのに要求される無線リソースの最小周波数単位であることを特徴とする請求項２に記載の同期信号伝送装置。
【請求項８】
同期信号伝送方法であって、
タイミング同期化のために、周波数同期化のための第１同期信号及びフレーム同期化のための第２同期信号を端末に伝送するタイミング同期化遂行段階；及び、
ビームフォーミング同期化のために、多数のアンテナを通して互いに異なる方向に形成される第３同期信号を上記端末に伝送するビームフォーミング同期化遂行段階；を含むことを特徴とする同期信号伝送方法。
【請求項９】
装置間の同期化のために指定された無線リソースにおいて、特定単位で区分される単位無線リソースのうち隣り合う２以上を結合した無線リソースブロックを多数個構成する無線リソース構成段階をさらに含み；
上記ビームフォーミング同期化遂行段階は、
上記多数個の無線リソースブロック別に形成される互いに異なる方向のアンテナビームを通してビーム同期信号を送信して、上記ビーム同期信号基盤のビームフォーミング同期化を行うことを特徴とする請求項８に記載の同期信号伝送方法。
【請求項１０】
上記受信装置は、
互いに異なる方向に形成される２以上のアンテナビームを通して上記ビーム同期信号を受信して、上記ビーム同期信号基盤のビームフォーミング同期化を行い；
上記２以上のアンテナビームそれぞれは、
上記多数個の無線リソースブロックそれぞれに指定されている単位無線リソースの組み合わせを用いて形成されることを特徴とする請求項９に記載の同期信号伝送方法。
【請求項１１】
上記無線リソースは、周期的に割り当てられるダウンリンク同期チャネルのサブフレーム内の多数のシンボルのうちの一つであり；
上記ビームフォーミング同期化遂行段階は、
上記多数のシンボルそれぞれから、上記多数個の無線リソースブロック別に以前のシンボルとは異なる方向にビーム同期信号を送信することを特徴とする請求項９に記載の同期信号伝送方法。
【請求項１２】
ダウンリンク同期チャネルの無線リソース構造を構成する方法であって、
既に設定された周期ごとに割り当てられるダウンリンク同期チャネルの無線リソースにおいて、特定単位で区分される単位無線リソースのうち隣り合う２以上を結合した無線リソースブロックを多数個構成する段階；及び、
上記多数個の無線リソースブロックそれぞれを多数個の送信アンテナそれぞれにマッピングさせて、上記多数個の送信アンテナそれぞれから上記多数個の無線リソースブロック別に形成される互いに異なる方向のアンテナビームを通してビーム同期信号が送信されるようにする段階；を含むことを特徴とするダウンリンク同期チャネルの無線リソース構造構成方法。
【請求項１３】
上記無線リソースにおいて、上記無線リソースブロックそれぞれの間に通信システム関連情報を伝送するための情報伝送ブロックを構成し、
上記情報伝送ブロックそれぞれを、情報伝送ブロックと隣り合う２個の無線リソースブロックのうちいずれか一つがマッピングされた送信アンテナにマッピングさせる段階をさらに含むことを特徴とする請求項１２に記載のダウンリンク同期チャネルの無線リソース構造構成方法。
【請求項１４】
上記無線リソースは、
ビームフォーミング同期化のための上記多数個の無線リソースブロック及び上記情報伝送ブロックを含む２個のビーム同期周波数領域と、タイミング同期化のための無線リソースブロックを含むタイミング同期周波数領域とから構成され、
上記タイミング同期周波数領域は、上記２個のビーム同期周波数領域の間に位置する構造を有することを特徴とする請求項１３に記載のダウンリンク同期チャネルの無線リソース構造構成方法。
【請求項１５】
上記無線リソースブロックを構成する単位無線リソースの個数は、
上記ビーム同期信号を受信する受信装置で形成可能なアンテナビームの個数によって決定されることを特徴とする請求項１２に記載のダウンリンク同期チャネルの無線リソース構造構成方法。
【発明の詳細な説明】
【技術分野】
【０００１】
本発明は、ＭＩＭＯシステムでの同期化技術に関するものである。
【０００２】
より詳しくは、ＭＩＭＯシステムにおいて送／受信装置間で同期化を行うにあたって、受信装置での早いビームトラッキング（ｔｒａｃｋｉｎｇ）を可能にして全体的なビームフォーミング同期化性能を向上させる技術に関するものである。
【背景技術】
【０００３】
ビームフォーミング技術は、送信装置のアンテナ数及び受信装置のアンテナ数を多数個備えることを前提とする技術である。
【０００４】
ビームフォーミング技術基盤の通信を行って、周波数やパワーを追加で使用しなくても送信／受信アンテナ数と比例する伝送容量利得を期待することができる多様な技術が登場し、その代表的な技術としてはＭＩＭＯ（Ｍｕｌｔｉｐｌｅ  Ｉｎｐｕｔ  Ｍｕｌｔｉｐｌｅ  Ｏｕｔｐｕｔ）技術がある。
【０００５】
ＭＩＭＯ技術の通信システム（以下、ＭＩＭＯシステム）で伝送容量利得を得る最も大きい部分は、ビームフォーミングを通したダイバーシティ（Ｄｉｖｅｒｓｉｔｙ）利得とマルチプレキシング（Ｍｕｌｔｉｐｌｅｘｉｎｇ）利得である。
【０００６】
ビームフォーミング技術を基盤として通信する送／受信装置間では、送信装置で形成可能な多数の方向／形態のアンテナビーム及び受信装置で形成可能な多数の方向／形態のアンテナビームのうち、チャネル環境が最も優れた最適のビームを選択して同期化することが非常に重要である。
【０００７】
ところが、現在までのビームフォーミング技術では、送／受信装置間でタイミング同期化及びビームフォーミング同期化を行う方式が具体的に提案されていないのが実情である。
【０００８】
したがって、受信装置でビームトラッキング（ｔｒａｃｋｉｎｇ）を早く進行することができ、これにより送／受信装置間のビームフォーミング同期化の失敗率を低めて全体的なビームフォーミング同期化性能を向上させることができる、具体的な方案が求められている。
【０００９】
よって、本発明では、受信装置での早いビームトラッキング（ｔｒａｃｋｉｎｇ）を可能にして全体的なビームフォーミング同期化性能を向上させる方案を提案しようとする。
【発明の概要】
【発明が解決しようとする課題】
【００１０】
本発明で到逹しようとする目的は、ＭＩＭＯシステムにおいて送／受信装置間でタイミング同期化及びビームフォーミング同期化を行うにあたって、受信装置での早いビームトラッキング（ｔｒａｃｋｉｎｇ）を可能にして全体的なビームフォーミング同期化性能を向上させることにある。
【課題を解決するための手段】
【００１１】
本発明の一実施例による同期信号伝送装置は、タイミング同期化のために、周波数同期化のための第１同期信号及びフレーム同期化のための第２同期信号を端末に伝送するタイミング同期化遂行部；及び、ビームフォーミング同期化のために、多数のアンテナを通して互いに異なる方向に形成される第３同期信号を上記端末に伝送するビームフォーミング同期化遂行部；を含む。
【００１２】
具体的に、装置間の同期化のために指定された無線リソースにおいて、特定単位で区分される単位無線リソースのうち隣り合う２以上を結合した無線リソースブロックを多数個構成する無線リソース構成部をさらに含み；上記ビームフォーミング同期化遂行部は、上記多数個の無線リソースブロック別に形成される互いに異なる方向のアンテナビームを通して上記第３同期信号としてのビーム同期信号を送信して、上記ビーム同期信号基盤のビームフォーミング同期化を行うことができる。
【００１３】
具体的に、上記無線リソースブロックを構成する単位無線リソースの個数は、上記ビーム同期信号を受信する受信装置で形成可能なアンテナビームの個数によって決定されることができる。
【００１４】
具体的に、上記受信装置は、互いに異なる方向に形成される２以上のアンテナビームを通して上記ビーム同期信号を受信して、上記ビーム同期信号基盤のビームフォーミング同期化を行い；上記２以上のアンテナビームそれぞれは、上記多数個の無線リソースブロックそれぞれに指定されている単位無線リソースの組み合わせを用いて形成されることができる。
【００１５】
具体的に、上記無線リソースは、周期的に割り当てられるダウンリンク同期チャネルのサブフレーム内の多数のシンボルのうちの一つであり；上記ビームフォーミング同期化遂行部は、上記多数のシンボルそれぞれから、上記多数個の無線リソースブロック別に以前のシンボルとは異なる方向にビーム同期信号を送信することができる。
【００１６】
具体的に、上記無線リソース構成部は、上記無線リソースにおいて、上記無線リソースブロックそれぞれの間に通信システム関連情報を伝送するための情報伝送ブロックを構成し、上記情報伝送ブロックに割り当てられる情報は、情報伝送ブロックと隣り合う２個の無線リソースブロックのうちのいずれか一つで形成されるアンテナビームを通して送信されることができる。
【００１７】
具体的に、上記特定単位は、上記受信装置で一つのアンテナビームを形成するのに要求される無線リソースの最小周波数単位であり得る。
【００１８】
本発明の一実施例による同期信号伝送方法は、タイミング同期化のために、周波数同期化のための第１同期信号及びフレーム同期化のための第２同期信号を端末に伝送するタイミング同期化遂行段階；及び、ビームフォーミング同期化のために、多数のアンテナを通して互いに異なる方向に形成される第３同期信号を上記端末に伝送するビームフォーミング同期化遂行段階；を含む。
【００１９】
具体的に、装置間の同期化のために指定された無線リソースにおいて、特定単位で区分される単位無線リソースのうち隣り合う２以上を結合した無線リソースブロックを多数個構成する無線リソース構成段階をさらに含み；上記ビームフォーミング同期化遂行段階は、上記多数個の無線リソースブロック別に形成される互いに異なる方向のアンテナビームを通してビーム同期信号を送信して、上記ビーム同期信号基盤のビームフォーミング同期化を行うことができる。
【００２０】
具体的に、上記受信装置は、互いに異なる方向に形成される２以上のアンテナビームを通して上記ビーム同期信号を受信して、上記ビーム同期信号基盤のビームフォーミング同期化を行い；上記２以上のアンテナビームそれぞれは、上記多数個の無線リソースブロックそれぞれに指定されている単位無線リソースの組み合わせを用いて形成されることができる。
【００２１】
具体的に、上記無線リソースは、周期的に割り当てられるダウンリンク同期チャネルのサブフレーム内の多数のシンボルのうちの一つであり；上記ビームフォーミング同期化遂行段階は、上記多数のシンボルそれぞれから、上記多数個の無線リソースブロック別に以前のシンボルとは異なる方向にビーム同期信号を送信することができる。
【００２２】
本発明の一実施例によるダウンリンク同期チャネルの無線リソース構造を構成する方法は、既に設定された周期ごとに割り当てられるダウンリンク同期チャネルの無線リソースにおいて、特定単位で区分される単位無線リソースのうち隣り合う２以上を結合した無線リソースブロックを多数個構成する段階；及び、上記多数個の無線リソースブロックそれぞれを多数個の送信アンテナそれぞれにマッピングさせて、上記多数個の送信アンテナそれぞれから上記多数個の無線リソースブロック別に形成される互いに異なる方向のアンテナビームを通してビーム同期信号が送信されるようにする段階；を含む。
【００２３】
具体的に、上記無線リソースにおいて、上記無線リソースブロックそれぞれの間に通信システム関連情報を伝送するための情報伝送ブロックを構成し、上記情報伝送ブロックそれぞれを、情報伝送ブロックと隣り合う２個の無線リソースブロックのうちいずれか一つがマッピングされた送信アンテナにマッピングさせる段階をさらに含むことができる。
【００２４】
具体的に、上記無線リソースは、ビームフォーミング同期化のための上記多数個の無線リソースブロック及び上記情報伝送ブロックを含む２個のビーム同期周波数領域と、タイミング同期化のための無線リソースブロックを含むタイミング同期周波数領域とから構成され、上記タイミング同期周波数領域は、上記２個のビーム同期周波数領域の間に位置する構造を有することができる。
【００２５】
具体的に、上記無線リソースブロックを構成する単位無線リソースの個数は、上記ビーム同期信号を受信する受信装置で形成可能なアンテナビームの個数によって決定されることができる。
【発明の効果】
【００２６】
本発明によれば、ＭＩＭＯシステムにおいて送／受信装置間で同期化を行うにあたって、受信装置での早いビームトラッキング（ｔｒａｃｋｉｎｇ）を可能にして全体的なビームフォーミング同期化性能を向上させる効果を奏する。
【図面の簡単な説明】
【００２７】
【図１】本発明が適用されるＭＩＭＯシステムを示した例示図である。
【図２】本発明の一実施例による同期信号伝送装置の構成を示した例示図である。
【図３】本発明の実施例によるダウンリンク同期チャネルの無線リソース構造を示した例示図である。
【図４】本発明の一実施例による同期信号伝送方法が進行される流れを示した例示図である。
【図５】本発明の実施例によるダウンリンク同期チャネルの無線リソース構造を示した例示図である。
【発明を実施するための形態】
【００２８】
本明細書で使われている技術的用語は単に特定の実施例を説明するために用いられたもので、本明細書に開示されている技術の思想を限定しようとする意図ではないことに留意しなければならない。また、本明細書で使われている技術的用語は、本明細書で特別に他の意味として定義されていない限り、本明細書に開示されている技術の属する分野で通常の知識を有する者によって一般的に理解される意味として解釈されなければならず、過度に包括的な又は縮小した意味として解釈されてはならない。また、本明細書で使われている技術的な用語が本明細書に開示されている技術の思想を正確に表現できていない誤った技術的用語であるときは、当業者が正しく理解できる技術的用語に替えて理解されなければならない。また、本明細書で使われている一般的な用語は、辞書に定義されているところ、又は前後の文脈上によって解釈されなければならず、過度に縮小した意味として解釈されてはならない。
【００２９】
また、本明細書で使われている単数の表現は、文脈上明白に異なる意味をなさない限り、複数の表現を含む。本明細書で、“構成される”又は“含む”などの用語は、明細書上に記載されている色々な構成要素、又は色々な段階を必ず全て含むものと解釈されてはならず、そのうち一部の構成要素又は一部の段階は含まれないこともあり、又は追加の構成要素又は段階を更に含み得るものと解釈されなければならない。
【００３０】
また、本明細書で使われている第１、第２などのように序数を含む用語は、多様な構成要素を説明するにあたって使われ得るが、上記構成要素は上記用語によって限定されてはならない。上記用語は一つの構成要素を他の構成要素から区別する目的でのみ使われる。例えば、本発明の権利範囲を逸脱しない範囲で、第１構成要素は第２構成要素と命名されることができ、同様に第２構成要素も第１構成要素と命名されることができる。
【００３１】
以下、添付図面を参照しながら本明細書に開示されている実施例を詳しく説明するが、図面符号にかかわらず同一又は類似の構成要素は同一の参照番号を付与し、これに関して重複する説明は省略することにする。
【００３２】
また、本明細書に開示されている技術を説明するにあたって、関連する公知技術に関する具体的な説明が本明細書に開示されている技術の要旨を不明瞭にすると判断される場合、その詳細な説明を省略する。また、添付図面は本明細書に開示されている技術の思想を容易に理解できるようにするためのものであるだけで、添付図面によってその技術の思想が制限されることと解釈されてはならないことに留意しなければならない。
【００３３】
以下、本発明の一実施例を例示的な図面を通して詳しく説明する。各図面の構成要素に参照符号を付加するにあたって、同一の構成要素に対しては、たとえ他の図面上に表示されても、なるべく同一の符号を有するようにしていることに留意しなければならない。また、本発明を説明するにあたって、関連する公知構成又は機能に関する具体的な説明が本発明の要旨を不明瞭にし得ると判断される場合は、その詳しい説明は省略する。
【００３４】
以下、添付図面を参照しながら本発明の一実施例に関して説明する。
【００３５】
図１は、本発明が適用されるＭＩＭＯシステムを示した例示図である。
【００３６】
ＭＩＭＯ（Ｍｕｌｔｉｐｌｅ  Ｉｎｐｕｔ  Ｍｕｌｔｉｐｌｅ  Ｏｕｔｐｕｔ）技術は、周波数やパワーを追加で使用しなくても、送信アンテナ数及び受信アンテナ数と比例する伝送容量利得を期待することができる技術であり、伝送容量利得を得る最も大きい部分は、ビームフォーミングを通したダイバーシティ（Ｄｉｖｅｒｓｉｔｙ）利得とマルチプレキシング（Ｍｕｌｔｉｐｌｅｘｉｎｇ）利得である。
【００３７】
ＭＩＭＯシステムで使用するビームフォーミング技術は、デジタルビームフォーミング、アナログビームフォーミング、ハイブリッドビームフォーミングに分けられる。
【００３８】
デジタルビームフォーミング技術によって形成された多数のビームは、受信端のダイバーシティを向上させて信号品質（ＳＩＮＲ：Ｓｉｇｎａｌ  ｔｏ  Ｉｎｔｅｒｆｅｒｅｎｃｅ  Ｎｏｉｓｅ  Ｒａｔｉｏ）を高める手段として使われることができ、また、多数の受信端を異なるビームに分離させて、それぞれ異なる信号を受信するようにするマルチプレキシングとして使われることができる。
【００３９】
しかし、デジタルビームフォーミング技術で形成するビームの個数は、ＲＦチェーンの個数によって決まるため、設置費用が増加するという短所がある。
【００４０】
その反面、アナログビームフォーミング技術で形成する多数のビームは、受信端のダイバーシティを向上させて信号品質（ＳＩＮＲ）を高める手段としてのみ限定的に使用されるという短所がある。
【００４１】
結局、ＭＩＭＯシステムでは、設置費用が増加するデジタルビームフォーミング技術及び性能利得が限定されるアナログビームフォーミング技術の短所により、これら二つのビームフォーミング技術を結合した形態のハイブリッドビームフォーミング技術を主に使用する。
【００４２】
これにより、以下では、本発明でもハイブリッドビームフォーミング技術を言及して説明するようにする。
【００４３】
図１に示されているように、本発明が適用されるビームフォーミング技術、例えばハイブリッドビームフォーミング技術を使用するＭＩＭＯシステムにおいては、送／受信装置間で、送信装置で形成可能な多数の方向／形態のアンテナビーム及び受信装置で形成可能な多数の方向／形態のアンテナビームのうち、チャネル環境が最も優れた最適のビームを選択して同期化することが非常に重要である。
【００４４】
このとき、送信装置は、図１に示されている基地局１００に該当し、受信装置は、図１に示されている各端末に該当する。
【００４５】
したがって、以下の説明では、タイミング同期化及びビームフォーミング同期化のための同期信号を伝送する送信装置を基地局１００と通称して説明し、同期信号を受信する受信装置を端末１０と言及／通称して説明する。
【００４６】
送信装置すなわち基地局１００は、アンテナを多数個備えている。
【００４７】
受信装置すなわち端末１０は、アンテナを２以上備えている。
【００４８】
本発明で提案する同期信号伝送装置は、タイミング同期化のために、周波数同期化のための第１同期信号及びフレーム同期化のための第２同期信号を端末に伝送する。
【００４９】
本発明で提案する同期信号伝送装置は、ビームフォーミング同期化のために、多数のアンテナを通して互いに異なる方向に形成される第３同期信号（以下、ビーム同期信号）を端末に伝送する。
【００５０】
特に、本発明で提案する同期信号伝送装置は、送／受信装置すなわち基地局１００と端末１０との間の同期化のために指定された無線リソースにおいて、特定単位で区分される単位無線リソースのうち隣り合う２以上を結合した無線リソースブロックを多数個構成し、多数個の無線リソースブロック別に形成される互いに異なる方向のアンテナビームを通してビーム同期信号を送信する方式でビーム同期信号基盤のビームフォーミング同期化を行う。
【００５１】
このような本発明の同期信号伝送装置は、送／受信装置すなわち基地局１００及び端末１０のうちタイミング同期化及びビームフォーミング同期化を行う遂行主体と同一であることが望ましく、以下では基地局１００と同一であるとして説明する。
【００５２】
すなわち、本発明で提案する同期信号伝送装置としての基地局１００は、装置間の同期化のために指定された無線リソースにおいて、特定単位で区分される単位無線リソースのうち隣り合う２以上を結合した無線リソースブロックを多数個構成する。
【００５３】
そして、基地局１００は、自身が備えている多数個のアンテナそれぞれを通して多数個の無線リソースブロック別に互いに異なる方向のアンテナビームを形成する。
【００５４】
よって、基地局１００は、多数個の無線リソースブロック別に形成される互いに異なる方向のアンテナビームを通してビーム同期信号を送信する方式で、端末１０とのビーム同期信号基盤のビームフォーミング同期化を行う。
【００５５】
このとき、基地局１００が構成した各無線リソースブロックを構成する単位無線リソースの個数は、ビーム同期信号を受信する受信装置すなわち端末１０で形成可能なアンテナビームの個数によって決定されることができる。
【００５６】
端末１０は、自身が備えている２以上のアンテナそれぞれを通して互いに異なる方向のアンテナビームを形成する。
【００５７】
よって、端末１０は、互いに異なる方向に形成される２以上のアンテナビームを通してビーム同期信号を受信する方式で、基地局１００とのビーム同期信号基盤のビームフォーミング同期化を行う。
【００５８】
このとき、端末１０が形成する２以上のアンテナビームそれぞれは、装置間の同期化のために指定された無線リソースにおいて上述の多数個の無線リソースブロックそれぞれに指定されている単位無線リソースの組み合わせを用いて形成される。
【００５９】
上述のような方式で基地局１００と端末１０との間でビーム同期信号基盤のビームフォーミング同期化を行うと、ビームフォーミング同期化を行うにあたって、受信装置すなわち端末１０でビームトラッキング（ｔｒａｃｋｉｎｇ）を早く進行することができ、これにより、ビームフォーミング同期化の失敗率を低めて全体的なビームフォーミング同期化性能を向上させることができる。
【００６０】
以下では、本発明で提案する同期化遂行方式をより具体的に説明して、上述の効果が導き出される過程を説明する。
【００６１】
図２に示されているように、本発明の一実施例による同期信号伝送装置１００は、タイミング同期化のために、周波数同期化のための第１同期信号及びフレーム同期化のための第２同期信号を端末に伝送するタイミング同期化遂行部１３０と、ビームフォーミング同期化のために、多数のアンテナを通して互いに異なる方向に形成される第３同期信号を端末に伝送するビームフォーミング同期化遂行部１２０とを含む。
【００６２】
また、同期信号伝送装置１００は、装置間の同期化のために指定された無線リソースにおいて、特定単位で区分される単位無線リソースのうち隣り合う２以上を結合した無線リソースブロックを多数個構成する無線リソース構成部１１０をさらに含むことができる。
【００６３】
以下の説明では、本発明の同期信号伝送装置として基地局１００を言及して説明する。
【００６４】
本発明の同期信号伝送装置１００すなわち基地局１００は、多数個のアンテナＡ，Ｂ，．．．Ｎを備えている。以下では、説明の便宜上、基地局１００が８個のアンテナを備えるものと仮定して説明する。
【００６５】
無線リソース構成部１１０は、装置間の同期化のために指定された無線リソースにおいて、特定単位で区分される単位無線リソースのうち隣り合う２以上を結合した無線リソースブロックを多数個構成する。
【００６６】
ここで、装置間の同期化のために指定された無線リソースとは、周期的に割り当てられるダウンリンク同期チャネルサブフレーム内の多数のシンボルのうちの一つを意味する。
【００６７】
具体的に、ＭＩＭＯシステムでは、ダウンリンク同期チャネルを通して、装置間のタイミング同期化及びビームフォーミング同期化のための同期信号を周期的に伝送する。
【００６８】
例えば、図３に示されているように、ダウンリンク同期チャネルの各フレーム（例：サブフレーム０〜４９，１０ｍｓ）毎に指定された位置のサブフレーム０，２５を装置間の同期化のためのサブフレームａとして割り当てることができる。
【００６９】
すると、ＭＩＭＯシステムでは、ダウンリンク同期チャネルを通して装置間の同期化のための同期信号を５ｍｓ毎に周期的に伝送することができる。
【００７０】
以下では、装置間の同期化のためのサブフレームａを同期化サブフレームという。
【００７１】
ここで、図３に示されているように、同期化サブフレームａは、多数のシンボル、例えば１４個のＯＤＦＭシンボルからなる。
【００７２】
無線リソース構成部１１０でダウンリンク同期チャネルの無線リソース（同期化サブフレーム内のＯＦＤＭシンボル）構造を構成する機能（方法）を具体的に説明すると、次の通りである。
【００７３】
無線リソース構成部１１０は、装置間の同期化のために指定された無線リソース、すなわち同期化サブフレームａ内のＯＦＤＭシンボルの無線リソースを、タイミング同期化のためのタイミング同期周波数領域とビームフォーミング同期化のためのビーム同期周波数領域とに区分（構成）することができる。
【００７４】
よって、タイミング同期化遂行部１３０は、タイミング同期周波数領域で形成される多数のアンテナビームを通して周波数同期化のための第１同期信号及びフレーム同期化のための第２同期信号を送信して、タイミング同期化を行う。
【００７５】
このとき、第１同期信号は、ＰＳＳ（ｐｒｉｍａｒｙ  Ｓｙｎｃ  Ｓｉｇｎａｌ）であり得、第２同期信号は、ＳＳＳ（Ｓｅｃｏｎｄａｒｙ  Ｓｙｎｃ  Ｓｉｇｎａｌ）であり得る。その他にも、タイミング同期化遂行部１３０は、タイミング同期化のためにＥＳＳ（Ｅｎｈａｎｃｅｄ  Ｓｙｎｃ  Ｓｉｇｎａｌ）など、より多い同期信号を送信（伝送）することもできる。
【００７６】
一方、ビームフォーミング同期化遂行部１２０は、ビーム同期周波数領域で形成される多数のアンテナビームを通してビームフォーミング同期化のための第３同期信号を送信して、ビームフォーミング同期化を行う。
【００７７】
このとき、第３同期信号は、ビーム同期信号であり、具体的にはＢＲＳ（Ｂｅａｍ  Ｒｅｆｅｒｅｎｃｅ  Ｓｉｇｎａｌ）であり得る。
【００７８】
以下では、ダウンリンク同期チャネルの無線リソース（同期化サブフレーム内のＯＦＤＭシンボル）のうち、ビーム同期周波数領域について具体的に説明する。
【００７９】
無線リソース構成部１１０は、装置間の同期化のために指定された無線リソースすなわち周期的に割り当てられるダウンリンク同期チャネルの同期化サブフレームａ内のＯＦＤＭシンボルにおいて、ＯＦＤＭシンボルの無線リソースを特定単位で区分する。
【００８０】
ここで、特定単位は、受信装置すなわち端末１０で一つのアンテナビームを形成するのに要求される無線リソースの最小周波数単位であり得る。
【００８１】
特定単位は、ＲＢ（Ｒａｄｉｏ  Ｂｌｏｃｋ）基準で定義される単位でもよく、ＲＢを成すキャリア（Ｃａｒｒｉｅｒ）基準で定義される単位でもよい。
【００８２】
以下では、説明の便宜上、特定単位は、ＲＢ基準で定義される単位であり、１個ＲＢであると仮定する。
【００８３】
この場合、無線リソース構成部１１０は、周期的に割り当てられるダウンリンク同期チャネルの同期化サブフレームａ内のＯＦＤＭシンボルにおいて、ＯＦＤＭシンボルの無線リソースを１個ＲＢ単位で区分する。
【００８４】
すると、同期チャネルの同期化サブフレームａ内のＯＦＤＭシンボルの無線リソースは、多数個の１個ＲＢ単位の単位無線リソースに区分される。
【００８５】
そして、無線リソース構成部１１０は、ダウンリンク同期チャネルの同期化サブフレームａ内のＯＦＤＭシンボルにおいて、１個ＲＢ単位で区分された多数個の単位無線リソースのうち隣り合う２以上を結合した無線リソースブロックを多数個構成する。
【００８６】
このとき、各無線リソースブロックを構成する単位無線リソースの個数は、ビーム同期信号すなわちＢＲＳを受信する受信装置すなわち端末１０で形成可能なアンテナビームの個数によって決定されることができる。
【００８７】
例えば、端末１０が４個のアンテナを備えて４個のアンテナビームを形成することができると仮定する。
【００８８】
このとき、同期信号伝送装置１００すなわち基地局１００で、以前のビームフォーミング同期化を行う過程又はアップリンク制御チャネル基盤の情報送受信過程を通して端末１０が４個のアンテナを備えていることを既に把握している場合がある。
【００８９】
この場合、無線リソース構成部１１０は、ダウンリンク同期チャネルの同期化サブフレームａ内のＯＦＤＭシンボルにおいて、多数個の単位無線リソースのうち隣り合う４個（又は８個又は１２個など、４と係わる個数）を結合した無線リソースブロックを多数個構成することができる。
【００９０】
一方、同期信号伝送装置１００すなわち基地局１００で、端末１０が４個のアンテナを備えていることを把握できていない場合、無線リソース構成部１１０は、ダウンリンク同期チャネルの同期化サブフレームａ内のＯＦＤＭシンボルにおいて、多数個の単位無線リソースのうち隣り合うＮ個（既に設定された推定個数、商用化された端末のうち最も多い数のアンテナを備えた端末のアンテナ個数）を結合した無線リソースブロックを多数個構成することができる。
【００９１】
以下では、説明の便宜上、隣り合う４個の単位無線リソースを結合した無線リソースブロックを多数個構成する実施例を言及して説明する。
【００９２】
また、無線リソース構成部１１０は、ダウンリンク同期チャネルの同期化サブフレームａ内のＯＦＤＭシンボルにおいて上述のように多数個の無線リソースブロックを構成するにあたって、基地局１００が備えているアンテナ数、言い換えれば、基地局１００で形成可能なアンテナビームの個数だけの無線リソースブロックを構成することができる。
【００９３】
以下では、無線リソース構成部１１０は、ダウンリンク同期チャネルの同期化サブフレームａ内のＯＦＤＭシンボルにおいて、８個の無線リソースブロックを構成することと仮定する。
【００９４】
すると、無線リソース構成部１１０は、ダウンリンク同期チャネルの同期化サブフレームａ内のＯＦＤＭシンボルにおいて、隣り合う４個の単位無線リソースを結合した形態の無線リソースブロックを８個構成することができる。
【００９５】
無線リソースブロック内の単位無線リソースの個数は、受信装置すなわち端末１０のアンテナ数によるため、無線リソースブロックを構成する単位無線リソースの個数は、端末１０のアンテナ数が少なくなるほど少なくなり、端末１０のアンテナ数が多くなるほど多くなる。
【００９６】
したがって、無線リソース構成部１１０は、基地局１００のセルカバレッジ内に存在するすべての端末（移動電話、ノートパソコン、など）を対象としてアンテナ数を把握し、最小個数の端末アンテナ数、又は最大個数の端末アンテナ数、又は最小個数及び最大個数の端末アンテナ数を別途定義されたアルゴリズムに適用して得た結果によって、無線リソースブロック内の単位無線リソースの個数を流動的に調整することも可能である。
【００９７】
そして、無線リソース構成部１１０は、多数個の無線リソースブロックすなわち８個の無線リソースブロックそれぞれを、多数個の送信アンテナすなわち基地局１００が備えた８個のアンテナそれぞれにマッピングさせて、８個のアンテナそれぞれで８個の無線リソースブロック別に互いに異なる方向のアンテナビームを形成することができるようにする。
【００９８】
一方、本発明では、装置間の同期化のために指定された無線リソース、すなわち同期化サブフレームａ内のＯＦＤＭシンボルの無線リソースを、タイミング同期化のためのタイミング同期周波数領域と、ビームフォーミング同期化のためのビーム同期周波数領域とに区分（構成）するにあたって、図３に示されているように、同期化サブフレームａ内のＯＦＤＭシンボルの無線リソースは、２個のビーム同期周波数領域と、２個のビーム同期周波数領域の間に位置するタイミング同期周波数領域とから構成することができる。
【００９９】
この場合、無線リソース構成部１１０は、ダウンリンク同期チャネルの同期化サブフレームａ内のＯＦＤＭシンボルにおいて、隣り合う４個の単位無線リソースを結合した形態の無線リソースブロック８個を構成するにあたって、２個のビーム同期周波数領域のうちの一つの領域で４個の無線リソースブロック＃１、＃２、＃３、＃４を構成し、残り一つの領域で残り４個の無線リソースブロック＃５、＃６、＃７、＃８を構成することができる。
【０１００】
図３では、便宜上、４個の無線リソースブロック＃１、＃２、＃３、＃４だけを示した。
【０１０１】
また、無線リソース構成部１１０は、上述のように構成した無線リソースブロックそれぞれの間に通信システム関連情報、例えばＭＩＮ（Ｍａｓｔｅｒ  Ｉｎｆｏｒｍａｔｉｏｎ  Ｂｌｏｃｋ）、ＳＩＢ（Ｓｙｓｔｅｍ  Ｉｎｆｏｒｍａｔｉｏｎ  Ｂｌｏｃｋ）を伝送するための情報伝送ブロック（以下、ＰＢＣＨ（Ｐｈｙｓｉｃａｌ  Ｂｒｏａｄｃａｓｔｉｎｇ  Ｃｈａｎｎｅｌ））を構成することができる。
【０１０２】
勿論、情報伝送ブロックすなわちＰＢＣＨは、無線リソースブロックそれぞれの間に位置するという前提によって、ビーム同期周波数領域に属することになる。
【０１０３】
すると、図３に示されているように、ダウンリンク同期チャネルの同期化サブフレームａ内のＯＦＤＭシンボルの無線リソースは、単位無線リソースｂを４個結合した形態の無線リソースブロック＃１、＃２、＃３、＃４、無線リソースブロック＃１と＃２との間のＰＢＣＨ、無線リソースブロック＃２と＃３との間のＰＢＣＨ、無線リソースブロック＃３と＃４との間のＰＢＣＨを含むビーム同期周波数領域、タイミング同期化のためのタイミング同期周波数領域を含む。
【０１０４】
勿論、図３では省略されているが、ダウンリンク同期チャネルの同期化サブフレームａ内のＯＦＤＭシンボルの無線リソースは、単位無線リソースｂを４個結合した形態の無線リソースブロック＃５、＃６、＃７、＃８、無線リソースブロック＃５と＃６との間のＰＢＣＨ、無線リソースブロック＃６と＃７との間のＰＢＣＨ、無線リソースブロック＃７と＃８との間のＰＢＣＨを含むビーム同期周波数領域も含む。
【０１０５】
タイミング同期化遂行部１３０は、タイミング同期周波数領域で形成される多数のアンテナビームを通してタイミング同期化のための同期信号すなわちＰＳＳ、ＳＳＳ、及びＥＳＳを送信して、タイミング同期化を行う。
【０１０６】
すなわち、基地局１００は、自身が備えている８個のアンテナそれぞれを通して、基地局１００のセルカバレッジ内の全体領域に向かって多数のアンテナビームを形成する。
【０１０７】
よって、タイミング同期化遂行部１３０は、タイミング同期周波数領域で形成される基地局１００のセルカバレッジ内の全体領域に向かう多数のアンテナビームを通してタイミング同期化のための同期信号すなわちＰＳＳ、ＳＳＳ、及びＥＳＳを送信する方式で、端末１０とのタイミング同期化を行うことができる。
【０１０８】
ビームフォーミング同期化遂行部１２０は、多数個の無線リソースブロック＃１〜＃８別に形成される互いに異なる方向のアンテナビームを通してビーム同期信号すなわちＢＲＳを送信して、ＢＲＳ基盤のビームフォーミング同期化を行う。
【０１０９】
すなわち、基地局１００は、自身が備えている８個のアンテナそれぞれを通して、各アンテナにマッピングされている８個の無線リソースブロック＃１〜＃８別に互いに異なる方向のアンテナビームを形成する。
【０１１０】
よって、ビームフォーミング同期化遂行部１２０は、８個の無線リソースブロック＃１〜＃８別に形成される互いに異なる方向のアンテナビームＡ，Ｂ，Ｃ，Ｄ，．．．，Ｈを通してＢＲＳを送信する方式で、端末１０とのＢＲＳ基盤のビームフォーミング同期化を行うことができる。
【０１１１】
すなわち、本発明で基地局１００は、自身が備えているアンテナ数だけのアンテナビームＡ，Ｂ，Ｃ，Ｄ，．．．，Ｈを形成するにあたって、各アンテナビームの観点で見るとき、一つの無線リソースブロック内の隣り合う単位無線リソース４個をまとめて同一のアンテナビームを形成するのである。
【０１１２】
そして、基地局１００は、ダウンリンク同期チャネルの同期化サブフレームａ内のＯＦＤＭシンボルそれぞれで、８個のアンテナそれぞれを通して８個の無線リソースブロック＃１〜＃８別に以前のＯＦＤＭシンボルとは異なる方向のアンテナビームを形成する。
【０１１３】
よって、ビームフォーミング同期化遂行部１２０は、ダウンリンク同期チャネルの同期化サブフレームａ内のＯＦＤＭシンボルそれぞれから、８個の無線リソースブロック＃１〜＃８別に以前のＯＦＤＭシンボルとは異なる方向にＢＲＳを送信することができる。
【０１１４】
一方、ＰＢＣＨに割り当てられる情報、例えばＭＩＢ及びＳＩＭは、ＰＢＣＨと隣り合う２個の無線リソースブロックのうちいずれか一つで形成されるアンテナビームを通して送信されることが望ましい。
【０１１５】
このために、無線リソース構成部１１０は、ＰＢＣＨそれぞれを、ＰＢＣＨと隣り合う２個の無線リソースブロックのうちいずれか一つがマッピングされた送信アンテナすなわち基地局１００のアンテナにマッピングさせることが望ましい。
【０１１６】
例えば、無線リソースブロック＃１と＃２との間のＰＢＣＨの場合であれば、このＰＢＣＨの情報は、ＰＢＣＨと隣り合う２個の無線リソースブロック＃１と＃２のうちいずれか一つで形成されるアンテナビームを通して送信されることができる。
【０１１７】
このために、無線リソース構成部１１０は、無線リソースブロック＃１と＃２との間のＰＢＣＨの場合であれば、このＰＢＣＨを２個の無線リソースブロック＃１と＃２のうちいずれか一つがマッピングされた基地局１００のアンテナにマッピングさせることができる。
【０１１８】
したがって、ＰＢＣＨと隣り合う２個の無線リソースブロックのうち先の無線リソースブロック送信を辞書的定義すれば、図３に示されているように、無線リソースブロック＃１と＃２との間のＰＢＣＨ内の情報は無線リソースブロック＃１と同じアンテナビームＡを通して送信され、無線リソースブロック＃２と＃３との間のＰＢＣＨ内の情報は無線リソースブロック＃２と同じアンテナビームＢを通して送信され、無線リソースブロック＃３と＃４との間のＰＢＣＨ内の情報は無線リソースブロック＃３と同じアンテナビームＣを通して送信されることができる。
【０１１９】
結局、ダウンリンク同期チャネルの同期化サブフレームａ内のＯＦＤＭシンボルの無線リソースにおいて、通信システムに係る情報すなわちＭＩＢ及びＳＩＭを無線リソースブロック間に挿入（Ｉｎｔｅｒｌｅａｖｉｎｇ）して構成すると、多数のアンテナビームＡ，Ｂ，Ｃ，Ｄ，Ｅ，Ｆ，Ｇを通して同時に同一のＭＩＢ及びＳＩＭを送信することになり、これにより、ビームフォーミングを通した周波数ダイバーシティ（Ｄｉｖｅｒｓｉｔｙ）利得を図ることができる。
【０１２０】
受信装置すなわち端末１０は、自身が備えている２以上のアンテナそれぞれを通して互いに異なる方向のアンテナビームを形成する。
【０１２１】
以下では、端末１０が４個のアンテナを備えて、互いに異なる方向の４個のアンテナビームを形成すると仮定する。
【０１２２】
よって、端末１０は、互いに異なる方向に形成される４個のアンテナビームを通してビーム同期信号すなわちＢＲＳを受信する方式で、基地局１００とのＢＲＳ基盤のビームフォーミング同期化を行う。
【０１２３】
このとき、重要な点は、端末１０が形成する４個のアンテナビームそれぞれは、装置間の同期化のために指定された無線リソースで上述の多数個の無線リソースブロックそれぞれに指定されている単位無線リソースの組み合わせを用いて形成されるという点である。
【０１２４】
すなわち、端末１０は、４個のアンテナ別に、ダウンリンク同期チャネルの同期化サブフレームａ内のＯＦＤＭシンボルの無線リソースにおいて、多数個の無線リソースブロック＃１〜＃８それぞれに指定されている単位無線リソースの組み合わせを用いてアンテナビーム１，２，３，４を形成するのである。
【０１２５】
ここで、受信装置でアンテナ別に無線リソースブロックそれぞれの単位無線リソースを指定する方式は、ランダム方式でも順次方式でもよい。
【０１２６】
図３では、受信装置でアンテナ別に無線リソースブロックそれぞれの単位無線リソースを順次方式で指定する場合を示した。
【０１２７】
よって、図３の無線リソースブロック＃１を言及して説明すると、端末１０は、アンテナビーム１の形成のために無線リソースブロック＃１の順次指定された単位無線リソース１−１を用い、アンテナビーム２の形成のために無線リソースブロック＃１の順次指定された単位無線リソース１−２を用い、アンテナビーム３の形成のために無線リソースブロック＃１の順次指定された単位無線リソース１−３を用い、アンテナビーム４の形成のために無線リソースブロック＃１の順次指定された単位無線リソース１−４を用いる。
【０１２８】
すると、端末１０は、アンテナビーム１の形成にあたって、無線リソースブロック＃１の単位無線リソース１−１、無線リソースブロック＃２の単位無線リソース２−１、無線リソースブロック＃３の単位無線リソース３−１、無線リソースブロック＃４の単位無線リソース４−１、無線リソースブロック＃５の単位無線リソース５−１、無線リソースブロック＃６の単位無線リソース６−１、無線リソースブロック＃７の単位無線リソース７−１、及び無線リソースブロック＃８の単位無線リソース８−１を組み合わせて用いることになる。
【０１２９】
このように、端末１０は、互いに異なる方向に４個のアンテナビーム１，２，３，４を形成し、アンテナビーム１，２，３，４を通してＢＲＳを受信する方式で、基地局１００とのＢＲＳ基盤のビームフォーミング同期化を行う。
【０１３０】
すなわち、本発明で端末１０は、自身が備えているアンテナ数だけのアンテナビーム１，２，３，４を形成するにあたって、各アンテナビームの観点で見るとき、８個の無線リソースブロックそれぞれに指定された単位無線リソースを組み合わせた８個の単位無線リソースをまとめて同一のアンテナビームを形成するのである。
【０１３１】
よって、端末１０は、ダウンリンク同期チャネルの同期化サブフレームａ内のＯＦＤＭシンボルそれぞれで、自身の形成したアンテナビーム１，２，３，４別に受信する基地局１００のアンテナビームＡ，Ｂ，Ｃ，Ｄ，．．．，Ｈ別のビーム同期信号すなわちＢＲＳに対するＳＩＮＲ（Ｓｉｇｎａｌ−ｔｏ−Ｉｎｔｅｒｆｅｒｅｎｃｅ−ｐｌｕｓ−Ｎｏｉｓｅ  Ｒａｔｉｏ）を測定し、これを基地局１００に報告する一連のビームトラッキング（ｔｒａｃｋｉｎｇ）過程を繰り返すことになる。
【０１３２】
よって、基地局１００は、端末１０から報告された情報を基盤として、ＳＩＮＲが最も優れた最適のビーム（基地局１００のビームと端末１０のビームのペア）を決定することにより、基地局１００と端末１０との間のビーム同期信号（ＢＲＳ）基盤のビームフォーミング同期化が行われるのである。
【０１３３】
勿論、基地局１００は、端末１０に対して、ＳＩＮＲが最も優れた最適のビームの他にも、次順位ビーム（例：２順位ビーム、３順位ビーム）も決定し、関連情報を保存しておくことにより、今後ビームフォーミング同期化が再遂行される前に、先に決めた最適ビームの通信品質が低下する場合、既に保存しておいた関連情報を活用して端末１０との通信時に次順位ビーム（例：２順位ビーム、３順位ビーム）を使うことも可能である。
【０１３４】
一方、端末１０は、図３に示されているように、無線リソースブロック間に挿入（Ｉｎｔｅｒｌｅａｖｉｎｇ）された各ＰＢＣＨをアンテナビーム１，２，３，４の形成時にランダムに用いてもよく、又は各ＰＢＣＨをアンテナビーム１，２，３，４の形成時に順次に用いてもよい。
【０１３５】
例えば、順次に用いるとすると、端末１０は、一番目ＯＦＤＭシンボルで、無線リソースブロック＃１と＃２との間のＰＢＣＨの場合、アンテナビーム１の形成時に用い、無線リソースブロック＃２と＃３との間のＰＢＣＨの場合、アンテナビーム２の形成時に用い、無線リソースブロック＃３と＃４との間のＰＢＣＨの場合、アンテナビーム３の形成時に用い、無線リソースブロック＃５と＃６との間のＰＢＣＨの場合、アンテナビーム４の形成時に用い、無線リソースブロック＃６と＃７との間のＰＢＣＨの場合、アンテナビーム１の形成時に用い、無線リソースブロック＃７と＃８との間のＰＢＣＨの場合、アンテナビーム２の形成時に用いることができる。
【０１３６】
そして、端末１０は、次のＯＦＤＭシンボルで、無線リソースブロック＃１と＃２との間のＰＢＣＨの場合、アンテナビーム３の形成時に用い、無線リソースブロック＃２と＃３との間のＰＢＣＨの場合、アンテナビーム４の形成時に用い、無線リソースブロック＃３と＃４との間のＰＢＣＨの場合、アンテナビーム１の形成時に用い、無線リソースブロック＃５と＃６との間のＰＢＣＨの場合、アンテナビーム２の形成時に用い、無線リソースブロック＃６と＃７との間のＰＢＣＨの場合、アンテナビーム３の形成時に用い、無線リソースブロック＃７と＃８との間のＰＢＣＨの場合、アンテナビーム４の形成時に用いることができる。
【０１３７】
結局、ダウンリンク同期チャネルの同期化サブフレームａ内のＯＦＤＭシンボルの無線リソースで、通信システムに係る情報すなわちＭＩＢ及びＳＩＭを無線リソースブロック間に挿入（Ｉｎｔｅｒｌｅａｖｉｎｇ）して構成すれば、多数のアンテナビーム１，２，３，４を通して同時に同一のＭＩＢ及びＳＩＭを受信することになり、これにより、ビームフォーミングを通した周波数ダイバーシティ（Ｄｉｖｅｒｓｉｔｙ）利得が得られることになる。
【０１３８】
上述のように、本発明で基地局１００は、自身が備えているアンテナ数だけのアンテナビームＡ，Ｂ，Ｃ，Ｄ，．．．，Ｈを形成するにあたって、各アンテナビームの観点で見るとき、一つの無線リソースブロック内の隣り合う２以上（例：４個）の単位無線リソースをまとめて同一のアンテナビームを形成するダウンリンク同期チャネルの無線リソース構造（同期化サブフレーム内のＯＦＤＭシンボル）を基盤として、ビームフォーミング同期化を行う。
【０１３９】
そして、本発明で、端末１０は、自身が備えているアンテナ数だけのアンテナビーム１，２，３，４を形成するにあたって、各アンテナビームの観点で見るとき、多数個（例：８個）の無線リソースブロックそれぞれに指定された単位無線リソースを組み合わせた多数個（例：８個）の単位無線リソースをまとめて同一のアンテナビームを形成するダウンリンク同期チャネルの無線リソース構造（同期化サブフレーム内のＯＦＤＭシンボル）を基盤として、ビームフォーミング同期化を行う。
【０１４０】
このように、本発明によるダウンリンク同期チャネルの無線リソース構造を基盤としてビームフォーミング同期化を行うと、受信装置すなわち端末１０が同期化遂行過程でビームトラッキング（ｔｒａｃｋｉｎｇ）を早く進行することができ、これにより、最適のビームをトラッキング（ｔｒａｃｋｉｎｇ）できずビームフォーミング同期化に失敗することが減る。
【０１４１】
結局、本発明によれば、基地局１００と端末１０との間のタイミング同期化及びビームフォーミング同期化を行うにあたって、端末１０での早いビームトラッキング（ｔｒａｃｋｉｎｇ）を可能にして全体的なビームフォーミング同期化性能を向上させることができる。
【０１４２】
一方、図３では、基地局１００は周波数単位無線リソースをまとめて一つのアンテナビームを形成し、端末１０は基地局１００から送信される各アンテナビーム別にアンテナビーム内の指定された周波数単位無線リソースそれぞれで各アンテナビームを形成することにより、端末１０が基地局１００からの同一のビーム同期信号（例：アンテナビームＡのＢＲＳ）を多数のアンテナビーム（例：アンテナビーム１，２，３，４）を通して受信することになる、周波数領域（ｆｒｅｑｕｅｎｃｙ  ｄｏｍａｉｎ）を活用した方式の実施例を示している。
【０１４３】
しかし、本発明では、図５に示されているように、コード領域（ｃｏｄｅ  ｄｉｖｉｓｉｏｎ）を活用した方式の実施例を通しても同一のビームフォーミング同期化性能を得ることができる。
【０１４４】
すなわち、端末１０が４個のアンテナを備えるという仮定の下で、基地局１００は、互いに異なる４個のコード（例：ｃ１，ｃ２，ｃ３，ｃ４）を基盤として一つのアンテナビームを形成する。
【０１４５】
よって、図５に示されているように、基地局１００は、無線リソースブロック＃１，＃２，＃３，＃４それぞれでアンテナビームＡ，Ｂ，Ｃ，Ｄを形成するとき、各アンテナビームを互いに異なる４個のコード（例：ｃ１，ｃ２，ｃ３，ｃ４）を基盤として形成する。
【０１４６】
そして、端末１０は、基地局１００から送信される各アンテナビームと同じ無線リソースブロックで各アンテナビームを形成し、端末１０が自身の各アンテナビームを通して互いに異なる４個のコード（例：ｃ１，ｃ２，ｃ３，ｃ４）を基盤として信号を受信する。
【０１４７】
すなわち、図５に示されているように、基地局１００から送信されるアンテナビームＡを言及して説明すると、端末１０は、アンテナビームＡと同じ無線リソースブロック＃１で、自身の各アンテナビーム１，２，３，４を通して４個のコード（例：ｃ１，ｃ２，ｃ３，ｃ４）を基盤として区分されるコード分割リソース（１−Ｃ１，１−Ｃ２，１−Ｃ３，１−Ｃ４）からアンテナビームＡのＢＲＳを受信することができるようになる。
【０１４８】
すると、端末１０は、アンテナビーム１を通して、基地局１００からのアンテナビームＡ，Ｂ，Ｃ，．．．，ＨそれぞれのＢＲＳを、コードｃ１を基盤として区分されるコード分割リソース（１−Ｃ１，２−Ｃ１，３−Ｃ１，４−Ｃ１，５−Ｃ１，６−Ｃ１，７−Ｃ１，８−Ｃ１）から受信する。
【０１４９】
以下では、図４を参照して本発明の一実施例による同期信号伝送方法について具体的に説明する。
【０１５０】
説明の便宜のために、同期信号伝送装置として、先の説明と一致するように基地局１００を言及して説明する。
【０１５１】
本発明による基地局１００の同期信号伝送方法は、既に設定された周期に到逹すると（Ｓ１００）、装置間の同期化遂行を開始する。
【０１５２】
このとき、既に設定された周期に到逹するとは、図３を参照して先に説明した周期的に割り当てられるダウンリンク同期チャネルの同期化サブフレームａの送信時点を意味する。
【０１５３】
このように既に設定された周期に到逹すると（Ｓ１００）、本発明による基地局１００の同期信号伝送方法は、ダウンリンク同期チャネルの同期化サブフレームａ内のＯＦＤＭシンボルの無線リソースを、タイミング同期化のためのタイミング同期周波数領域と、ビームフォーミング同期化のためのビーム同期周波数領域とに区分（構成）できる（Ｓ１０５）。
【０１５４】
そして、本発明による基地局１００の同期信号伝送方法は、ダウンリンク同期チャネルの同期化サブフレームａ内のＯＦＤＭシンボル内のビーム同期周波数領域で、特定単位で区分される単位無線リソースのうち隣り合う２以上を結合した無線リソースブロックを多数個構成する（Ｓ１１０）。
【０１５５】
上述の例示のように仮定すると、本発明による基地局１００の同期信号伝送方法は、ダウンリンク同期チャネルの同期化サブフレームａ内のＯＦＤＭシンボルにおいて、１個ＲＢ単位で区分された多数個の単位無線リソースのうち隣り合う４個を結合した無線リソースブロックを８個構成することができる。
【０１５６】
そして、本発明による基地局１００の同期信号伝送方法は、８個の無線リソースブロックそれぞれを基地局１００が備えた８個のアンテナそれぞれにマッピングさせて、８個のアンテナそれぞれで８個の無線リソースブロック別に互いに異なる方向のアンテナビームを形成できるようにする。
【０１５７】
勿論、本発明による基地局１００の同期信号伝送方法は、Ｓ１００段階以前に、ダウンリンク同期チャネルの同期化サブフレームａ内のＯＦＤＭシンボルにおいて１個ＲＢ単位で区分された多数個の単位無線リソースのうち隣り合う４個を結合した無線リソースブロックを８個構成してマッピングしておき、既に設定された周期に到逹したら（Ｓ１００）、先に構成しておいた８個の無線リソースブロック構成を確認だけすることも可能である。
【０１５８】
また、本発明による基地局１００の同期信号伝送方法は、無線リソースブロックそれぞれの間に情報伝送ブロック（以下、ＰＢＣＨ）をインターリービングする（Ｓ１２０）。
【０１５９】
すなわち、本発明による基地局１００の同期信号伝送方法は、図３に示されているように、ダウンリンク同期チャネルの同期化サブフレームａ内のＯＦＤＭシンボルの無線リソースにおいて、無線リソースブロック＃１と＃２との間にＰＢＣＨをインターリービングし、無線リソースブロック＃２と＃３との間にＰＢＣＨをインターリービングし、無線リソースブロック＃３と＃４との間にＰＢＣＨをインターリービングして構成することができる。
【０１６０】
勿論、図３では便宜上省略されているが、本発明による基地局１００の同期信号伝送方法は、ダウンリンク同期チャネルの同期化サブフレームａ内のＯＦＤＭシンボルの無線リソースにおいて、無線リソースブロック＃５と＃６との間にＰＢＣＨをインターリービングし、無線リソースブロック＃６と＃７との間にＰＢＣＨをインターリービングし、無線リソースブロック＃７と＃８との間にＰＢＣＨをインターリービングして構成することができる。
【０１６１】
この場合、本発明による基地局１００の同期信号伝送方法は、ＰＢＣＨそれぞれを、ＰＢＣＨと隣り合う２個の無線リソースブロックのうちいずれか一つがマッピングされた基地局１００のアンテナにマッピングさせることが望ましい。
【０１６２】
例えば、本発明による基地局１００の同期信号伝送方法は、無線リソースブロック＃１と＃２との間のＰＢＣＨの場合ならば、このＰＢＣＨを２個の無線リソースブロック＃１と＃２のうちいずれか一つがマッピングされた基地局１００のアンテナにマッピングさせることができる。
【０１６３】
勿論、本発明による基地局１００の同期信号伝送方法は、Ｓ１００段階以前に、ダウンリンク同期チャネルの同期化サブフレームａ内のＯＦＤＭシンボルにおいて８個の無線リソースブロック及びＰＢＣＨを構成してマッピングしておき、既に設定された周期に到逹したら（Ｓ１００）、先に構成しておいた８個の無線リソースブロック及びＰＢＣＨ構成を確認だけすることも可能である。
【０１６４】
以後、本発明による基地局１００の同期信号伝送方法は、ダウンリンク同期チャネルの同期化サブフレームａ内のＯＦＤＭシンボルにおいて、タイミング同期化のためのタイミング同期信号（例：ＰＳＳ、ＳＳＳ、及びＥＳＳ）及びビームフォーミング同期化のためのビーム同期信号（例：ＢＲＳ）を送信して、タイミング同期化及びビームフォーミング同期化を行う（Ｓ１３０）。
【０１６５】
具体的に、本発明による基地局１００の同期信号伝送方法は、同期化サブフレームａ内のＯＦＤＭシンボルのタイミング同期周波数領域で形成される基地局１００のセルカバレッジ内の全体領域に向かう多数のアンテナビームを通してタイミング同期化のための同期信号すなわちＰＳＳ、ＳＳＳ、及びＥＳＳを送信する方式で、端末１０とのタイミング同期化を行うことができる。
【０１６６】
一方、本発明による基地局１００の同期信号伝送方法は、同期化サブフレームａ内のＯＦＤＭシンボルのビーム同期周波数領域内の多数個の無線リソースブロック＃１〜＃８別に形成される互いに異なる方向のアンテナビームを通してビーム同期信号すなわちＢＲＳを送信して、ＢＲＳ基盤のビームフォーミング同期化を行う。
【０１６７】
すなわち、本発明による基地局１００の同期信号伝送方法は、自身が備えている８個のアンテナそれぞれを通して、各アンテナにマッピングされている８個の無線リソースブロック＃１〜＃８別に互いに異なる方向のアンテナビームを形成する。
【０１６８】
よって、本発明による基地局１００の同期信号伝送方法は、８個の無線リソースブロック＃１〜＃８別に形成される互いに異なる方向のアンテナビームＡ，Ｂ，Ｃ，Ｄ，．．．，Ｈを通してＢＲＳを送信する方式で、端末１０とのＢＲＳ基盤のビームフォーミング同期化を行うことができる。
【０１６９】
すなわち、本発明による基地局１００の同期信号伝送方法は、自身が備えているアンテナ数だけのアンテナビームＡ，Ｂ，Ｃ，Ｄ，．．．，Ｈを形成するにあたって、各アンテナビームの観点で見るとき、一つの無線リソースブロック内の隣り合う単位無線リソース４個をまとめて同一のアンテナビームを形成するのである。
【０１７０】
このとき、本発明による基地局１００の同期信号伝送方法は、ＰＢＣＨと隣り合う２個の無線リソースブロックのうち先の無線リソースブロック送信（アンテナマッピング）を辞書的定義すれば、図３に示されているように、無線リソースブロック＃１と＃２との間のＰＢＣＨ内の情報は無線リソースブロック＃１と同じアンテナビームＡを通して送信し、無線リソースブロック＃２と＃３との間のＰＢＣＨ内の情報は無線リソースブロック＃２と同じアンテナビームＢを通して送信し、無線リソースブロック＃３と＃４との間のＰＢＣＨ内の情報は無線リソースブロック＃３と同じアンテナビームＣを通して送信することができる（Ｓ１３０）。
【０１７１】
そして、本発明による基地局１００の同期信号伝送方法は、ダウンリンク同期チャネルの無線リソースすなわち同期化サブフレームａ内のＯＦＤＭシンボルを全て利用したかを確認する（Ｓ１４０）。言い換えれば、同期化サブフレームａ内のＯＦＤＭシンボル１４個が全て利用されているかを確認するのである。
【０１７２】
本発明による基地局１００の同期信号伝送方法は、同期化サブフレームａ内のＯＦＤＭシンボル１４個が全て利用されていなければ（Ｓ１４０  Ｎｏ）、次のＯＦＤＭシンボルで８個のアンテナそれぞれを通して８個の無線リソースブロック＃１〜＃８別に以前のＯＦＤＭシンボルとは異なる方向のアンテナビームＡ，Ｂ，Ｃ，Ｄ，．．．，Ｈを形成し、端末１０とのタイミング同期化及びビームフォーミング同期化を継続して行う（Ｓ１３０）。
【０１７３】
これにより、本発明による基地局１００の同期信号伝送方法は、ダウンリンク同期チャネルの同期化サブフレームａ内のＯＦＤＭシンボルそれぞれで、８個のアンテナそれぞれを通して８個の無線リソースブロック＃１〜＃８別に以前のＯＦＤＭシンボルとは異なる方向のアンテナビームを形成し、８個の無線リソースブロック＃１〜＃８別に以前のＯＦＤＭシンボルとは異なる方向にビームフォーミング同期化のためのＢＲＳを送信することができる。
【０１７４】
一方、本発明による基地局１００の同期信号伝送方法は、同期化サブフレームａ内のＯＦＤＭシンボル１４個が全て利用されたら（Ｓ１４０  Ｙｅｓ）、今まで進行したタイミング同期化及びビームフォーミング同期化の遂行による結果を基盤として基地局１００と端末１０との間のタイミング及び最適のビームを決定する（Ｓ１５０）。
【０１７５】
上述のように、本発明による基地局１００の同期信号伝送方法は、自身が備えているアンテナ数だけのアンテナビームＡ，Ｂ，Ｃ，Ｄ，．．．，Ｈを形成するにあたって、各アンテナビームの観点で見るとき、一つの無線リソースブロック内の隣り合う単位無線リソース４個をまとめて同一のアンテナビームを形成するダウンリンク同期チャネルの無線リソース（同期化サブフレーム内のＯＦＤＭシンボル）構造を基盤として、ビームフォーミング同期化を行う。
【０１７６】
そして、図４を参照した具体的な説明では省略したが、先に説明したように、受信装置すなわち端末１０が、自身の備えているアンテナ数だけのアンテナビーム１，２，３，４を形成するにあたって、各アンテナビームの観点で見るとき、多数個（例：８個）の無線リソースブロックそれぞれに指定された単位無線リソースを組み合わせた８個の単位無線リソースをまとめて同一のアンテナビームを形成するダウンリンク同期チャネルの無線リソース構造（同期化サブフレーム内のＯＦＤＭシンボル）を基盤として、ビームフォーミング同期化を行う。
【０１７７】
このように、本発明によるダウンリンク同期チャネルの無線リソース構造を基盤としてタイミング同期化及びビームフォーミング同期化を行なえば、受信装置すなわち端末１０が同期化遂行過程でビームトラッキング（ｔｒａｃｋｉｎｇ）を早く進行することができ、これにより、最適のビームをトラッキング（ｔｒａｃｋｉｎｇ）できずビームフォーミング同期化に失敗することが減る。
【０１７８】
結局、本発明によれば、基地局１００と端末１０との間の同期化を行うにあたって、端末１０での早いビームトラッキング（ｔｒａｃｋｉｎｇ）を可能にして全体的なビームフォーミング同期化性能を向上させることができる。
【０１７９】
一方、本明細書で説明する機能的な動作と主題の具現物は、デジタル電子回路で具現されるか、本明細書で開示する構造及びその構造的な等価物を含むコンピュータソフトウェア、ファームウェアあるいはハードウェアで具現されるか、これらのうち一つ以上の結合で具現されることができる。本明細書で説明する主題の具現物は、一つ以上のコンピュータプログラム製品、すなわち、処理システムの動作を制御するために或いはこれによる実行のために有形のプログラム保存媒体上にエンコードされたコンピュータプログラム命令に関する一つ以上のモジュールとして具現されることができる。
【０１８０】
コンピュータで読み取り可能な媒体は、機械で読み取り可能な保存装置、機械で読み取り可能な保存基板、メモリ装置、機械で読み取り可能な電波型信号に影響を及ぼす物質の組成物或いはこれらのうち一つ以上の組み合わせであり得る。
【０１８１】
本明細書で“システム”や“装置”とは、例えばプログラマブルプロセッサ、コンピュータあるいは多重プロセッサやコンピュータを含んでデータを処理するためのあらゆる機構、装置及び機械を包括する。処理システムは、ハードウェアに付け加えて、例えばプロセッサファームウェアを構成するコード、プロトコルスタック、データベース管理システム、オペレーティングシステムあるいはこれらのうち一つ以上の組み合わせなど、要請時コンピュータプログラムに対する実行環境を形成するコードを含むことができる。
【０１８２】
コンピュータプログラム（プログラム、ソフトウェア、ソフトウェアアプリケーション、スクリプトあるいはコードとしても知られている）は、コンパイル又は解釈された言語やアプリオリあるいは手続き型言語を含むプログラミング言語の如何なる形態でも作成されることができ、独立型プログラムやモジュール、コンポーネント、サブルーティンあるいはコンピュータ環境での使用に適した他のユニットを含み如何なる形態でも展開されることができる。コンピュータプログラムは、ファイルシステムのファイルに必ずしも対応するものではない。プログラムは、要請されたプログラムに提供される単一ファイル内に、あるいは多重の相互作用するファイル（例えば、一つ以上のモジュール、下位プログラムあるいはコードの一部を保存するファイル）内に、あるいは他のプログラムやデータを保有するファイルの一部（例えば、マークアップ言語文書内に保存される一つ以上のスクリプト）内に保存されることができる。コンピュータプログラムは、一つのサイトに位置するか複数のサイトにわたり分散して通信ネットワークにより相互接続された多重コンピュータや一つのコンピュータ上で実行されるように展開されることができる。
【０１８３】
一方、コンピュータプログラム命令語とデータの保存に適したコンピュータで読み取り可能な媒体は、例えば、ＥＰＲＯＭ、ＥＥＰＲＯＭ及びフラッシュメモリ装置のような半導体メモリ装置、例えば、内部ハードディスクや外付型ディスクのような磁気ディスク、磁気光学ディスク及びＣＤ−ＲＯＭとＤＶＤ−ＲＯＭディスクを含みあらゆる形態の非揮発性メモリ、媒体及びメモリ装置を含むことができる。プロセッサとメモリは、特殊目的の論理回路によって補充されるか、それに統合されることができる。
【０１８４】
本明細書で説明した主題の具現物は、例えばデータサーバーのようなバックエンドコンポーネントを含むか、例えばアプリケーションサーバーのようなミドルウェアコンポーネントを含むか、例えばユーザーが本明細書で説明した主題の具現物と相互作用可能なウェブブラウザやグラフィックユーザーインターフェースを有するクライアントコンピュータのようなフロントエンドコンポーネントあるいはそのようなバックエンド、ミドルウェアあるいはフロントエンドコンポーネントの一つ以上のあらゆる組み合わせを含む演算システムで具現されることもできる。システムのコンポーネントは、例えば通信ネットワークのようなデジタルデータ通信の如何なる形態や媒体によっても相互接続可能である。
【０１８５】
本明細書は多数の特定の具現物の詳細事項を含むが、これらは如何なる発明や請求可能なものの範囲に対しても制限的なものとして理解されてはならず、むしろ特定の発明の特定の実施形態の特有の特徴に関する説明として理解されなければならない。同様に、個別的な実施形態の文脈で本明細書に記述されている特定の特徴は、単一実施形態で組み合わせて具現されることもできる。反対に、単一実施形態の文脈で記述した多様な特徴も個別的にあるいは如何なる適切な下位組み合わせでも複数の実施形態で具現可能である。さらに、特徴が特定の組み合わせで動作できるが、一つ以上の特徴は一部の場合にその組み合わせから排除されることができ、その請求された組み合わせは下位組み合わせや下位組み合わせの変形物に変更されることができる。
【０１８６】
また、本明細書では特定の手順で図面に動作を描写しているが、これは、望ましい結果を得るために図示されたその特定の手順や順序通りにそのような動作を行うべきであるとか、全ての図示された動作が行われなければならないと理解されてはならない。特定の場合、マルチタスキングと並列プロセッシングが有利であり得る。また、上述の実施形態の多様なシステムコンポーネントの分離は、かかる分離をあらゆる実施形態で要求することと理解されてはならず、説明したプログラムコンポーネントとシステムは一般的に単一のソフトウェア製品として共に統合されるか多重ソフトウェア製品にパッケージされることができるという点を理解しなければならない。
【０１８７】
このように、本明細書は、その提示された具体的な用語に本発明を制限しようとする意図ではない。従って、上述の例を参照して本発明を詳しく説明したが、当業者であれば本発明の範囲を逸脱しない範囲で本例に対する改造、変更及び変形を加えることができる。本発明の範囲は、上記詳細な説明よりは後述の特許請求の範囲によって示され、特許請求の範囲の意味及び範囲そしてその等価概念から導き出される全ての変更又は変形された形態が本発明の範囲に含まれることと解釈されなければならない。
【図１】
2019519953.tif 000003
【図２】
2019519953.tif 000004
【図３】
2019519953.tif 000005
【図４】
2019519953.tif 000006
【図５】
2019519953.tif 000007
【国際調査報告】
2019519953.tif 000008
2019519953.tif 000009
2019519953.tif 000010
2019519953.tif 000011